(57)【特許請求の範囲】
【請求項１】
機器本体と、前記機器本体の一つの面を覆う第１の位置と前記一つの面の少なくとも一部を開放する第２の位置とに亘って前記一つの面に対してスライド移動自在に設けられた蓋体と、を備えた電子機器において、
前記蓋体を前記第１の位置に向かう方向と前記第２の位置に向かう方向とに切り換えて、当該蓋体を付勢する付勢手段を備え、
前記付勢手段は、前記蓋体が前記第１の位置に位置づけられる際に当該蓋体を前記第２の位置に向かって付勢するとともに、前記蓋体が前記第２の位置に位置づけられる際に当該蓋体を前記第１の位置に向かって付勢することを特徴とする電子機器。
【請求項２】
前記蓋体を前記機器本体に対して回転自在に支持するアーム部材と、
駆動源からの駆動力により一方向と該一方向の逆向きの他方向との双方に回転されるとともに、前記アーム部材とともに回転する回転部材と、を備え、
前記付勢手段は、一端部が前記アーム部材に固定されかつ中央部が前記回転部材の回転中心に取り付けられたねじりばねと、
前記回転部材を貫通しかつ前記ねじりばねの他端部が侵入するとともに回転部材の回転中心を中心とした円弧状の孔と、を備え、
前記ねじりばねの他端部が、前記第１の位置に前記蓋体が位置づけられると前記孔の前記回転部材の周方向の蓋体から離れた側の第１の内面に接触し、前記第２の位置に蓋体が位置づけられると前記孔の前記回転部材の周方向の蓋体寄りの第２の内面に接触することを特徴とする請求項１記載の電子機器。
【発明の詳細な説明】
【０００１】
【発明の属する技術分野】
本発明は、例えば、移動体としての自動車などに装着されるオーディオ装置などの電子機器に関する。
【０００２】
【従来の技術】
例えば、移動体としての自動車のインストルメントパネル（以下インパネと呼ぶ）には、電子機器としてのＣＤプレーヤが取り付けられる。ＣＤプレーヤは、Compact Disc（以下ＣＤと呼ぶ）などの記録媒体が記録した情報を読み出す。
【０００３】
ＣＤプレーヤは、前記インパネに取り付けられる扁平な箱状の機器本体と、液晶ディスプレイ等の表示部や各種の操作ボタンなどを有する蓋体としての操作パネルとを備えている。機器本体の自動車の乗員に相対する一つの面には、ＣＤを機器本体内に挿入したり前記機器本体からＣＤを排出するための挿入口が開口している。
【０００４】
前述したＣＤプレーヤは、前記インパネに装着する際にかかる設置スペースを抑制するために、前記挿入口を覆う第１の位置と挿入口を開放する第２の位置とに亘って前記操作パネルを機器本体に対して移動自在としている。このため、前述したＣＤプレーヤは、操作パネルを第１の位置と第２の位置とに亘って移動させる駆動機構を備えている。
【０００５】
前述したＣＤプレーヤは、挿入口を開放する第２の位置に操作パネルを位置づけて、挿入口を通してＣＤを機器本体内に出し入れする。ＣＤを機器本体内に挿入した後、前記挿入口を覆う第１の位置に操作パネルを位置づけて、操作ボタンなどを操作してＣＤに記録された情報を読み出して（再生して）、音声として出力する。この再生状況を示す情報を液晶ディスプレイなどに表示する。
【０００６】
【発明が解決しようとする課題】
前述した従来のＣＤプレーヤの操作パネルは、第１の位置と、第２の位置とに亘ってスライド移動可能となっている。また、自動車の走行中などに発生する振動の影響を受けて操作パネルが振動して異音を生じさせないために、クッションなどの付勢手段を備えている。従来から用いられてきたＣＤプレーヤの付勢手段は、前記第１の位置から第２の位置に向かって操作パネルを付勢したものや、第２の位置から第１の位置に向かって操作パネルを付勢したものが知られている。このように、従来のＣＤプレーヤでは、操作パネルを、第１の位置から第２の位置に向かう方向と、第２の位置から第１の位置に向かう方向とのうち一方の方向のみ付勢している。
【０００７】
このため、付勢手段が操作パネルを第１の位置から第２の位置に向かって付勢しているＣＤプレーヤは、第２の位置から第１の位置に向かって操作パネルを移動して第１の位置に操作パネルが位置づけられた際に駆動機構が生じる音を付勢手段が抑制する。第１の位置から第２の位置に向かって操作パネルを移動すると、付勢手段が操作パネルを付勢しなくなるので、操作パネルが第２の位置に位置づけられると、“がた”という衝撃音が生じる。
【０００８】
一方、付勢手段が操作パネルを第２の位置から第１の位置に向かって付勢しているＣＤプレーヤは、第１の位置から第２の位置に向かって操作パネルを移動して第２の位置に操作パネルが位置づけられた際に駆動機構が生じる音を付勢手段が抑制する。第２の位置から第１の位置に向かって操作パネルを移動すると、付勢手段が操作パネルを付勢しなくなるので、操作パネルが第１の位置に位置づけられると、“がた”という衝撃音が生じる。
【０００９】
このように、従来から用いられてきたＣＤプレーヤは、前述した第１の位置と第２の位置とのうち一方に操作パネルが位置づけられると、前述した衝撃音が生じる。このため、前記自動車の乗員に不快感を与える虞があった。
【００１０】
本発明は、このような課題に鑑みてなされたものであって、機器本体の一つの面を覆う第１の位置と一つの面の少なくとも一部を開放する第２の位置との双方に蓋体を位置づけた際に生じる音を抑制できる電子機器を提供することにある。
【００１１】
【課題を解決するための手段】
前記課題を解決し目的を達成するために、請求項１に記載の本発明の電子機器は、機器本体と、前記機器本体の一つの面を覆う第１の位置と前記一つの面の少なくとも一部を開放する第２の位置とに亘って前記一つの面に対してスライド移動自在に設けられた蓋体と、を備えた電子機器において、前記蓋体を前記第１の位置に向かう方向と前記第２の位置に向かう方向とに切り換えて、当該蓋体を付勢する付勢手段を備え、前記付勢手段は、前記蓋体が前記第１の位置に位置づけられる際に当該蓋体を前記第２の位置に向かって付勢するとともに、前記蓋体が前記第２の位置に位置づけられる際に当該蓋体を前記第１の位置に向かって付勢することを特徴としている。
【００１２】
請求項２に記載の本発明の電子機器は、請求項１記載の電子機器において、前記蓋体を前記機器本体に対して回転自在に支持するアーム部材と、駆動源からの駆動力により一方向と該一方向の逆向きの他方向との双方に回転されるとともに、前記アーム部材とともに回転する回転部材と、を備え、前記付勢手段は、一端部が前記アーム部材に固定されかつ中央部が前記回転部材の回転中心に取り付けられたねじりばねと、前記回転部材を貫通しかつ前記ねじりばねの他端部が侵入するとともに回転部材の回転中心を中心とした円弧状の孔と、を備え、前記ねじりばねの他端部が、前記第１の位置に前記蓋体が位置づけられると前記孔の前記回転部材の周方向の蓋体から離れた側の第１の内面に接触し、前記第２の位置に蓋体が位置づけられると前記孔の前記回転部材の周方向の蓋体寄りの第２の内面に接触することを特徴としている。
【００１３】
請求項１に記載した本発明の電子機器によれば、蓋体が第１の位置に位置づけられる際に、付勢手段が蓋体を第２の位置に向かって付勢する。蓋体が第２の位置に位置づけられる際に、付勢手段が蓋体を第１の位置に向かって付勢する。このため、第２の位置から第１の位置に向かって蓋体を移動すると、蓋体が第１の位置に近づくにしたがって付勢手段により第２の位置に向かって付勢される。また、第１の位置から第２の位置に向かって蓋体を移動すると、蓋体が第２の位置に近づくにしたがって付勢手段により第１の位置に向かって付勢される。
【００１４】
請求項２に記載した本発明の電子機器によれば、第１の位置に蓋体が位置付けられると、ねじりばねの他端部が回転部材を貫通した孔の蓋体から離れた側の第１の内面に接触する。このため、蓋体が第１の位置に位置づけられると、付勢手段が蓋体を第２の位置に向かって確実に付勢する。第２の位置に蓋体が位置付けられると、ねじりばねの他端部が回転部材を貫通した孔の蓋体寄りの第２の内面に接触する。このため、蓋体が第２の位置に位置づけられると、付勢手段が蓋体を第１の位置に向かって確実に付勢する。
【００１５】
【発明の実施の形態】
本発明の一実施形態にかかる電子機器１を図１ないし図１２を参照して説明する。なお、各図では、記憶媒体としてのCompact Disc（以下ＣＤと呼ぶ）を後述する機器本体２内に挿入する方向をＹ方向、このＹ方向に直交しかつ機器本体２の幅方向をＸ方向、これらのＸ方向とＹ方向との双方に対し直交しかつ機器本体２の厚み方向をＺ方向として説明する。
【００１６】
図１などに示す電子機器１は、例えば、移動体としての自動車のインストルメントパネル（以下インパネと呼ぶ）に装着される。電子機器１は、例えば、ＣＤを収容して、該ＣＤに記録された情報を読み出して（再生して）音声として出力するＣＤプレーヤと、ＡＭ／ＦＭ放送電波を受信して、その受信した情報を音声として出力するＡＭ／ＦＭチューナなどを備えている。
【００１７】
電子機器１は、図１ないし図３に示すように、機器本体２と、蓋体としての操作表示ユニット（オペレーションフラップ、略してオペフラともいう）３と、駆動機構４（図４などに示す）とを備えている。機器本体２は、扁平な箱状に形成されたシャーシ５と、このシャーシ５内に収容されるＣＤプレーヤとＡＭ／ＦＭチューナ等を備えている。
【００１８】
シャーシ５は、シャーシ本体６と、シャーシ本体６の図１ないし図３中手前側に取り付けられる前面パネル７とを備えている。シャーシ本体６は、図１ないし図３中手前側に開口部を設けた扁平な箱状に形成されている。シャーシ本体６は、板金などが折り曲げられて形成されている。
【００１９】
前面パネル７は、前述した開口部を塞ぐ格好でシャーシ本体６に取り付けられる。前面パネル７は、略平坦な壁８と、この壁８の外縁に立設する立設壁９と、を一体に備えている。壁８は、前面パネル７がシャーシ本体６に取り付けられると前記開口部を塞ぐ。壁８の平面形状は、矩形状に形成されている。
【００２０】
壁８には、前記機器本体２の内側にＣＤを挿入したり、前記機器本体２内に収容されたＣＤを排出するための挿入口１０（図２及び図３に示す）と、図示しないコネクタなどを設けている。挿入口１０は、壁８を貫通しており、内側にＣＤを通す。コネクタは、後述の第１の位置に位置づけられた操作表示ユニット３から機器本体２に各種の信号を伝えたり、機器本体２から操作表示ユニット３に各種の信号と電力を伝えるために用いられる。
【００２１】
立設壁９は、壁８の図１中手前側に位置する表面８ａのすべての縁部それぞれに設けられている。なお、操作表示ユニット３は、第１の位置において、前記複数の立設壁９で囲まれた空間に収容される。また、前記壁８の表面８ａは、本明細書に記した一つの面をなしている。
【００２２】
なお、シャーシ５内に収容されるＣＤプレーヤとＡＭ／ＦＭチューナは、使用者が操作表示ユニット３の各々に設けられた後述するスイッチ１５等を押圧することによって動作する。
【００２３】
操作表示ユニット３は、図１に示すように、扁平な箱状のハウジング１３と、該ハウジング１３内に収容される表示パネルとしての液晶ディスプレイ（以下ＬＣＤと呼ぶ）１４と、各種のスイッチ１５と、を備えている。ハウジング１３の平面形状は、矩形状に形成されている。ハウジング１３のＸ方向に沿った長さは、機器本体２のシャーシ５の幅と略等しい。ハウジング１３のＺ方向に沿った長さは、機器本体２のシャーシ５の厚みと略等しい。
【００２４】
ＬＣＤ１４は、使用者に対し各種の情報を表示する表示領域としての表示面を備えている。各種のスイッチ１５は、使用者が操作するための操作部を構成している。この表示面と操作部とが前記ハウジング１３の図１中手前側に位置する表面１３ａに設けられている。
【００２５】
操作表示ユニット３に設けられたスイッチ１５が使用者などに操作されることによって、例えば、ＡＭ／ＦＭチューナが電波を受信する放送局の選局が行われる。そして、操作表示ユニット３のＬＣＤ１４にその選局中の放送局の周波数や放送局名等の情報を表示させる。
【００２６】
また、操作表示ユニット３に設けられたスイッチ１５が使用者などに操作されることによって、例えば、ＣＤプレーヤが再生する曲などが選択される。そして、操作表示ユニット３のＬＣＤ１４にその選曲中のトラック番号等の情報などを表示させる。
【００２７】
また、操作表示ユニット３は、駆動機構４の後述するホルダ１６（図４及び図５などに示す）に着脱自在となっている。
【００２８】
操作表示ユニット３の表面１３ａの裏側の背面３ｃの両側端には、図示しない凹溝が形成されている。また、ホルダ１６には、その凹溝に係止する係止爪１７（図４に示す）が設けられており、この係止爪１７が凹溝に係止されることによって、操作表示ユニット３がホルダ１６に取り付けられる。また、係止爪１７が凹溝から抜け出ることによって、操作表示ユニット３がホルダ１６から取り外される。
【００２９】
また、操作表示ユニット３は、駆動機構４により、ホルダ１６に取り付けられて、図１に示す第１の位置と、図２に示す中間位置と、図３に示す第２の位置とに亘って移動される。本実施形態では、操作表示ユニット３は、駆動機構４によって、第１の位置から中間位置と第２の位置という順に移動される。また、操作表示ユニット３は、駆動機構４によって、第２の位置から中間位置と第１の位置という順に移動される。
【００３０】
第１の位置では、操作表示ユニット３は、立設壁９と前面パネル７の表面８ａとで囲まれる空間内に収容されている。操作表示ユニット３の表面１３ａは前面パネル７の表面８ａと平行である。操作表示ユニット３は、前面パネル７の表面８ａ即ち挿入口１０を覆っている。
【００３１】
第２の位置では、第１の位置から操作表示ユニット３の下端部３ａが前方に上端部３ｂが下方に移動して挿入口１０を露出させる。下端部３ａは、前記Ｙ方向に沿って表面８ａから使用者に向かって移動する。このため、第２の位置では、操作表示ユニット３の表面１３ａは、上向きとなっている。さらに操作表示ユニット３は、表面８ａの少なくとも一部即ち挿入口１０を開放している。前記中間位置は、前述した第１の位置と第２の位置との間に位置している。
【００３２】
こうして、操作表示ユニット３は、図１に示す表面８ａ即ち挿入口１０を覆う第１の位置と、図３に示す表面８ａの少なくとも一部即ち挿入口１０を開放する第２の位置とに亘って、機器本体２に対してスライド移動自在に設けられている。
【００３３】
駆動機構４は、図４ないし図６に示すように、中蓋としてのホルダ１６と、第１の駆動ユニット１８と、第２の駆動ユニット１９を備えている。ホルダ１６は、平面形状が矩形の板状の板金である。ホルダ１６は、長手方向が機器本体２の幅方向（Ｘ方向）に沿った状態で配される。ホルダ１６は、前面パネル７より若干小さい。
【００３４】
ホルダ１６には、操作表示ユニット３が着脱自在である。ホルダ１６は、図４に示す係止爪１７を四つ備えている。これらの係止爪１７は、ホルダ１６に取り付けられている。係止爪１７は、ホルダ１６の長手方向（Ｘ方向）の両端部に二つずつ設けられている。つまり、四つの係止爪１７は、二つの係止爪１７を一組として構成されている。さらに、一組のそれぞれの係止爪１７は、機器本体２の厚み方向（Ｚ方向）に沿って互いに間隔をあけて、ホルダ１６に取り付けられている。また、四つの係止爪１７は、各々ホルダ１６の中央に向かって図示しないばねなどによって付勢されている。
【００３５】
ホルダ１６は、操作表示ユニット３の図示しない凹溝に係止爪１７を係止させることにより操作表示ユニット３を取り付ける。そして、例えば、使用者がホルダ１６に取り付けられた操作表示ユニット３をホルダ１６の下方に移動させて係止爪１７を凹溝から抜け出させる。こうして、操作表示ユニット３をホルダ１６から取り外す。
【００３６】
また、ホルダ１６は、第１の位置では、図７に示すように、立設壁９と前面パネル７の表面８ａとで囲まれる空間内に収容される。ホルダ１６は、前面パネル７の表面８ａと平行となる。ホルダ１６は、第２の位置では、図９に示すように、第１の位置から下端部が前面パネル７から突出させられ、上端部が下方に移動されている。ホルダ１６は、その表面が上向きとなる。中間位置では、ホルダ１６は、図８に示すように、図７に示す第１の位置と図９に示す第２の位置との間に位置づけられている。
【００３７】
第１及び第２の駆動ユニット１８，１９は、シャーシ本体６の内部に配される。第１の駆動ユニット１８と第２の駆動ユニット１９は、機器本体２の幅方向（Ｘ方向）に沿って互いに間隔をあけて配されている。第１の駆動ユニット１８と第２の駆動ユニット１９は、それぞれ、機器本体２の幅方向（Ｘ方向）の両端部に配され、ホルダ１６の両端部を支持している。
【００３８】
第１の駆動ユニット１８は、図４中の奥側に配されており、図４、図７ないし図９に示すように、一対のフレーム２０と、駆動源部２１と、駆動部２２と、を備えている。フレーム２０は、それぞれ、板金などからなり、機器本体２のシャーシ５内に収容される。フレーム２０は、それぞれシャーシ５のシャーシ本体６と前面パネル７との双方に固定される。フレーム２０は、それぞれ、シャーシ本体６の底壁から立設した状態で配される。一対のフレーム２０は、機器本体２の幅方向（Ｘ方向）に沿って互いに間隔をあけて配されている。
【００３９】
駆動源部２１は、駆動源としてのモータ２３と、ウォーム２４と、ウォームホイール２５と、複数の伝達歯車２６と、回転部材としての回転歯車２７と、付勢手段としての付勢部２８と、を備えている。モータ２３は、正逆の双方向に回転可能な出力軸２３ａを備えている。モータ２３は、フレーム２０に取り付けられる。
【００４０】
ウォーム２４は、モータ２３の出力軸２３ａに取り付けられている。ウォームホイール２５は、互いに同軸的に配された大径歯車部２５ａと小径歯車部２５ｂとを一体に備えている。ウォームホイール２５は、一対のフレーム２０間に配され、かつこれら一対のフレーム２０に回転自在に支持されている。ウォームホイール２５の大径歯車部２５ａが、ウォーム２４と噛み合っている。
【００４１】
伝達歯車２６は、図示例では、二つ設けられている。伝達歯車２６は、それぞれ、互いに同軸的に配された大径歯車部２６ａと小径歯車部２６ｂとを一体に備えている。伝達歯車２６は、それぞれ、一対のフレーム２０間に配されかつこれら一対のフレーム２０に回転自在に支持されている。一方の伝達歯車２６の大径歯車部２６ａがウォームホイール２５の小径歯車部２５ｂと噛み合っている。前述した一方の伝達歯車２６の小径歯車部２６ｂが、他方の伝達歯車２６の大径歯車部２６ａと噛み合っている。
【００４２】
回転歯車２７は、一対のフレーム２０間に配されかつこれら一対のフレーム２０に回転自在に支持されている。回転歯車２７は、前述した他方の伝達歯車２６の小径歯車部２６ｂと噛み合っている。前述したウォームホイール２５及び各歯車２６，２７の回転中心は、機器本体２の幅方向（Ｘ方向）に沿っている。
【００４３】
付勢部２８は、孔２９と、ねじりばねとしてのねじりコイルばね３０と、を備えている。孔２９は、回転歯車２７を貫通している。孔２９は、図７ないし図１２に示すように、回転歯車２７の回転中心を中心とした円弧状に形成されている。このため、孔２９は、図１０ないし図１２に示すように、回転歯車２７の周方向に沿って互いに間隔をあける第１の内面３１と第２の内面３２とを備えている。第１の内面３１は、孔２９の周方向のホルダ１６即ち操作表示ユニット３から離れた側に位置している。第２の内面３２は、孔２９の周方向のホルダ１６即ち操作表示ユニット３寄りに位置している。
【００４４】
ねじりコイルばね３０は、金属からなる一本の線状材からなり、リング状の中央部３３と、中央部３３に連なりかつ棒状の一端部３４と、中央部３３に連なりかつ棒状の他端部３５と、を一体に備えている。ねじりコイルばね３０は、一端部３４が他端部３５よりホルダ１６即ち操作表示ユニット３寄りに位置した状態で、回転歯車２７に取り付けられる。
【００４５】
ねじりコイルばね３０の中央部３３は、回転歯車２７の回転中心と同軸に配されている。ねじりコイルばね３０の一端部３４は、駆動部２２の後述する第１のアーム３６に固定される。ねじりコイルばね３０の他端部３５は、孔２９内に挿入される。第１の位置では、他端部３５は、孔２９の第１の内面３１に接触して、該第１の内面３１から押される。第２の位置では、他端部３５は、孔２９の第２の内面３２に接触して、該第２の内面３２から押される。中間位置では、他端部３５は、孔２９の第１の内面３１と第２の内面３２との双方と間隔をあけて、これらの内面３１，３２に接触しない。
【００４６】
他端部３５が第１の内面３１に接触して該第１の内面３１から押されると、ねじりコイルばね３０は一端部３４即ち第１のアーム３６を他端部３５から離れる方向に付勢する。他端部３５が第２の内面３２に接触して該第２の内面３２から押されると、ねじりコイルばね３０は一端部３４即ち第１のアーム３６を他端部３５に近づく方向に付勢する。
【００４７】
駆動部２２は、アーム部材としての第１のアーム３６と、第２のアーム３７とを備えている。第１のアーム３６は、板金などからなり、側方からみて略く字状に形成されている。第１のアーム３６の一端部は、回転歯車２７の回転中心に固定されている。このため、第１のアーム３６は、一端部を中心として回転歯車２７とともに回転する。また、第１のアーム３６の一端部には、ねじりコイルばね３０の一端部３４が固定されている。第１のアーム３６の他端部は、ホルダ１６の上端部と回転自在に連結している。このため、第１のアーム３６は、ホルダ１６即ち操作表示ユニット３を機器本体２に回転自在に支持する。
【００４８】
第２のアーム３７は、板金などからなり、側方からみてく字状に形成されている。第２のアーム３７の一端部は、フレーム２０と回転自在に連結している。第２のアーム３７の他端部は、ホルダ１６の中央部と回転自在に連結している。
【００４９】
第２の駆動ユニット１９は、図４に示すように、前述した第１の駆動ユニット１８と同等のフレーム２０と第１のアーム３６と第２のアーム３７とを備えている。このため、同一符号を付して説明を省略する。なお、第１のアーム３６の一端部は、フレーム２０に回転自在に支持されている。
【００５０】
前述した構成によれば、第１及び第２の駆動ユニット１８，１９は、モータ２３の回転駆動力によって、図８中の矢印Ｌに沿う方向と、矢印Ｍに沿う方向と、の双方の方向に回転歯車２７と第１のアーム３６を回転させる。そして、図７に示す第１の位置と、図９に示す第２の位置とに亘って、ホルダ１６即ち操作表示ユニット３を移動させる。
【００５１】
第１の位置では、ねじりコイルばね３０は、図１０に示すように他端部３５が第１の内面３１に接触して、第１のアーム３６を介してホルダ１６即ち操作表示ユニット３を第２の位置に向かって付勢する。第２の位置では、ねじりコイルばね３０は、図１２に示すように他端部３５が第２の内面３２に接触して、第１のアーム３６を介してホルダ１６即ち操作表示ユニット３を第１の位置に向かって付勢する。中間位置では、図１１に示すように、ねじりコイルばね３０の他端部３５は、第１の内面３１と第２の内面３２との双方に接触しない。
【００５２】
なお、操作表示ユニット３を第２の位置に向かって付勢する状態を第１の状態と呼び、操作表示ユニット３を第１の位置に向かって付勢する状態を第２の状態と呼ぶ。こうして、付勢部２８は、ねじりコイルばね３０の他端部３５が第１の内面３１と第２の内面３２とのうち一方に接触することにより、前記第１の状態と第２の状態とが切り換え可能となっている。また、操作表示ユニット３が第１の位置に位置づけられると付勢部２８は前記第１の状態となり、操作表示ユニット３が第２の位置に位置づけられると付勢部２８は前記第２の状態となる。
【００５３】
前述した構成の駆動機構４を備えた電子機器１の動作（作用）を説明する。まず、第１の位置では、ホルダ１６と操作表示ユニット３は、表面８ａと立設壁９とで囲まれた空間内に収容されている。さらに、図７及び図１０に示すように、ねじりコイルばね３０の他端部３５が孔２９の第１の内面３１に接触して、第１の状態となっている。ねじりコイルばね３０は、ホルダ１６即ち操作表示ユニット３を第２の位置に向かって付勢している。
【００５４】
モータ２３が例えば正転駆動し、回転歯車２７が図７及び図８中の矢印Ｌに沿って回転すると、第１のアーム３６が一端部を中心として矢印Ｌに沿って回転する。すると、第２のアーム３７は、一端部を中心として回転する。
【００５５】
そして、ねじりコイルばね３０の他端部３５が、回転歯車２７の回転とともに、第１の内面３１から離れる。そして、図８に示す中間位置にホルダ１６即ち操作表示ユニット３が変位する。この中間位置では、図１１に示すように、ねじりコイルばね３０の他端部３５は第１の内面３１と第２の内面３２との間に位置し、これらの内面３１，３２双方に接触していない。
【００５６】
さらに、モータ２３が正転駆動すると、回転歯車２７と第１のアーム３６が更に矢印Ｌに沿って回転して、ねじりコイルばね３０の他端部３５が第２の内面３２に徐々に近づく。第２の位置に近づくと、図１２に示すように、他端部３５が第２の内面３２に接触する。そして、他端部３５が第２の内面３２から押されて、一端部３４が他端部３５に近づく方向に、ねじりコイルばね３０は付勢力を発生する。
【００５７】
そして、図９に示すように、ねじりコイルばね３０は、前述した矢印Ｌとは逆向きの矢印Ｍに沿った付勢力を発生して、第２の状態となる。そして、ホルダ１６即ち操作表示ユニット３が図９に示す第２の位置に位置づけられるとともに、ねじりコイルばね３０などが回転歯車２７などを介して、ホルダ１６即ち操作表示ユニット３を第１の位置に向かって付勢する。
【００５８】
前記第２の位置にホルダ１６即ち操作表示ユニット３が位置づけられた状態で、モータ２３が例えば逆転駆動すると、回転歯車２７は、図９中の矢印Ｍに沿って回転する。回転歯車２７が図９中の矢印Ｍに沿って回転すると、第１のアーム３６が一端部を中心として矢印Ｍに沿って回転する。すると、第２のアーム３７は、一端部を中心として回転する。
【００５９】
そして、ねじりコイルばね３０の他端部３５が、回転歯車２７の回転とともに、第２の内面３２から離れる。そして、図８に示す中間位置にホルダ１６即ち操作表示ユニット３が変位する。
【００６０】
さらに、モータ２３が逆転駆動すると、回転歯車２７と第１のアーム３６が更に矢印Ｍに沿って回転して、ねじりコイルばね３０の他端部３５が第１の内面３１に徐々に近づく。第１の位置に近づくと、図１０に示すように、他端部３５が第１の内面３１に接触する。そして、他端部３５が第１の内面３１から押されて、一端部３４が他端部３５から離れる方向に、ねじりコイルばね３０は付勢力を発生する。
【００６１】
そして、図７に示すように、ねじりコイルばね３０は、前述した矢印Ｍとは逆向きの矢印Ｌに沿った付勢力を発生して、第１の状態となる。そして、ホルダ１６即ち操作表示ユニット３が図７に示す第１の位置に位置づけられるとともに、ねじりコイルばね３０などが回転歯車２７などを介して、ホルダ１６即ち操作表示ユニット３を第２の位置に向かって付勢する。
【００６２】
本実施形態によれば、操作表示ユニット３を第１の位置に位置づけると、ねじりコイルばね３０の他端部３５が孔２９の操作表示ユニット３から離れた側の第１の内面３１に接触して、該第１の内面３１から押される。このため、操作表示ユニット３が第１の位置に位置づけられる際に、ねじりコイルばね３０などが操作表示ユニット３を第２の位置に向かって確実に付勢する。
【００６３】
このため、第２の位置から第１の位置に向かって操作表示ユニット３を移動すると、操作表示ユニット３が第１の位置に近づくにしたがってねじりコイルばね３０により第２の位置に向かって確実に付勢される。このため、第２の位置から第１の位置に向かって操作表示ユニット３を移動して、操作表示ユニット３が第１の位置に位置づけられた際に駆動ユニット１８，１９などから生じる衝撃音を確実に抑制できる。
【００６４】
操作表示ユニット３を第１の位置に位置づけると、ねじりコイルばね３０の他端部３５が孔２９の操作表示ユニット３寄りの第２の内面３２に接触する。このため、操作表示ユニット３が第２の位置に位置づけられる際に、ねじりコイルばね３０などが操作表示ユニット３を第１の位置に向かって確実に付勢する。
【００６５】
このため、第１の位置から第２の位置に向かって操作表示ユニット３を移動すると、操作表示ユニット３が第２の位置に近づくにしたがってねじりコイルばね３０などにより第１の位置に向かって確実に付勢される。このため、第１の位置から第２の位置に向かって操作表示ユニット３を移動して、操作表示ユニット３が第２の位置に位置づけられた際に駆動ユニット１８，１９などから生じる衝撃音を確実に抑制できる。
【００６６】
したがって、操作表示ユニット３を第１の位置と第２の位置との双方に位置づけた際に生じる異音（衝撃音）を確実に抑制できる。
【００６７】
また、一つのねじりコイルばね３０と孔２９を用いて、付勢部２８が操作表示ユニット３を第２の位置に向かって付勢する第１の状態と、操作表示ユニット３を第１の位置に向かって付勢する第２の状態とを切り換え可能としている。このため、第１の位置と第２の位置との双方に向かって操作表示ユニット３を付勢するために、部品点数の増加を抑制できる。したがって、異音を抑制できることにくわえ、低コスト化を図ることができる。
【００６８】
【発明の効果】
以上説明したように請求項１に記載の本発明によれば、第２の位置から第１の位置に向かって蓋体を移動すると、蓋体が第１の位置に近づくにしたがって付勢手段により第２の位置に向かって付勢される。このため、第２の位置から第１の位置に向かって蓋体を移動して、蓋体が第１の位置に位置づけられた際に生じる衝撃音を抑制できる。
【００６９】
また、第１の位置から第２の位置に向かって蓋体を移動すると、蓋体が第２の位置に近づくにしたがって付勢手段により第１の位置に向かって付勢される。このため、第１の位置から第２の位置に向かって蓋体を移動して、蓋体が第２の位置に位置づけられた際に生じる衝撃音を抑制できる。
【００７０】
したがって、蓋体を第１の位置と第２の位置との双方に位置づけた際に生じる異音（衝撃音）を抑制できる。
【００７１】
請求項２に記載の本発明によれば、ねじりばねの他端部が孔の蓋体から離れた側の第１の内面に接触するため、蓋体が第１の位置に位置づけられる際に、付勢手段が蓋体を第２の位置に向かって確実に付勢する。第２の位置から第１の位置に向かって蓋体を移動すると、蓋体が第１の位置に近づくにしたがって付勢手段により第２の位置に向かって確実に付勢される。このため、第２の位置から第１の位置に向かって蓋体を移動して、蓋体が第１の位置に位置づけられた際に生じる衝撃音を確実に抑制できる。
【００７２】
ねじりばねの他端部が回転部材を貫通した孔の蓋体寄りの第２の内面に接触するため、蓋体が第２の位置に位置づけられる際に、付勢手段が蓋体を第１の位置に向かって確実に付勢する。第１の位置から第２の位置に向かって蓋体を移動すると、蓋体が第２の位置に近づくにしたがって付勢手段により第１の位置に向かって確実に付勢される。このため、第１の位置から第２の位置に向かって蓋体を移動して、蓋体が第２の位置に位置づけられた際に生じる衝撃音を確実に抑制できる。
【００７３】
したがって、蓋体を第１の位置と第２の位置との双方に位置づけた際に生じる異音（衝撃音）を確実に抑制できる。
【００７４】
また、一つのねじりばねと孔を用いて、付勢手段が蓋体を第２の位置に向かって付勢する第１の状態と、蓋体を第１の位置に向かって付勢する第２の状態とを切り換え可能としている。このため、第１の位置と第２の位置との双方に向かって蓋体を付勢するために、部品点数の増加を抑制できる。したがって、異音を抑制できることにくわえ、低コスト化を図ることができる。
【図面の簡単な説明】
【図１】本発明の一実施形態にかかる電子機器を示す斜視図である。
【図２】図１に示された電子機器の操作表示ユニットが中間位置に変位した状態を示す斜視図である。
【図３】図１に示された電子機器の操作表示ユニットが第２の位置に変位した状態を示す斜視図である。
【図４】図１に示された電子機器の要部を分解して示す斜視図である。
【図５】図１に示された電子機器の要部を分解して示す側断面図である。
【図６】図４に示された電子機器の要部を組み立てた状態を示す斜視図である。
【図７】図１に示された電子機器の第１の駆動ユニットなどを側方からみた説明図である。
【図８】図２に示された電子機器の第１の駆動ユニットなどを側方からみた説明図である。
【図９】図３に示された電子機器の第１の駆動ユニットなどを側方からみた説明図である。
【図１０】図７に示された電子機器のフレームを貫通した孔とねじりコイルばねの他端部とを示す説明図である。
【図１１】図８に示された電子機器のフレームを貫通した孔とねじりコイルばねの他端部とを示す説明図である。
【図１２】図９に示された電子機器のフレームを貫通した孔とねじりコイルばねの他端部とを示す説明図である。
【符号の説明】
１  電子機器
２  機器本体
３  操作表示ユニット（蓋体）
８ａ  表面（一つの面）
１０  挿入口
２７  回転歯車（回転部材）
２８  付勢部（付勢手段）
２９  孔
３０  ねじりコイルばね（ねじりばね）
３１  第１の内面
３２  第２の内面
３３  中央部
３４  一端部
３５  他端部
３６  第１のアーム（アーム部材）
【図１】
0004146150.tif 000002
【図２】
0004146150.tif 000003
【図３】
0004146150.tif 000004
【図４】
0004146150.tif 000005
【図５】
0004146150.tif 000006
【図６】
0004146150.tif 000007
【図７】
0004146150.tif 000008
【図８】
0004146150.tif 000009
【図９】
0004146150.tif 000010
【図１０】
0004146150.tif 000011
【図１１】
0004146150.tif 000012
【図１２】
0004146150.tif 000013